(57)【要約】【課題】受信状態の悪化時において、音声が途切れて出力されたり、音声が不連続の状態のまま出力されたりする問題を解消すること。【解決手段】本発明の地上デジタル放送受信装置（２）は、強階層音声データと弱階層音声データとに対してＯＦＤＭ変調が施された放送データを受信する受信部（２１）と、放送データに対してＯＦＤＭ復調を施し、強階層音声データと弱階層音声データとを出力する復調処理部（２２）と、受信部（２１）が放送データを受信したときの受信状態が良好であるか否かを表す受信状況判断結果を生成する受信状態判断部（１６）と、受信状況判断結果が受信状態の良好を表している場合、強階層音声データと弱階層音声データとを合成した合成音声データを出力装置（３）に出力し、受信状況判断結果が受信状態の不良を表している場合、強階層音声データを出力装置（３）に出力する音声合成部（２０）とを具備している。【選択図】図１
2008160248.tif 000002
【特許請求の範囲】
【請求項１】
強階層音声データと弱階層音声データとに対してＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調が施された放送データを受信する受信部と、
前記放送データに対してＯＦＤＭ復調を施し、前記強階層音声データと前記弱階層音声データとを出力する復調処理部と、
前記受信部が前記放送データを受信したときの受信状態が良好であるか否かを表す受信状況判断結果を生成する受信状態判断部と、
前記受信状況判断結果が前記受信状態の良好を表している場合、前記強階層音声データと前記弱階層音声データとを合成した合成音声データを出力装置に出力し、前記受信状況判断結果が前記受信状態の不良を表している場合、前記強階層音声データを前記出力装置に出力する音声合成部と
を具備する地上デジタル放送受信装置。
【請求項２】
請求項１に記載の地上デジタル放送受信装置において、
前記放送データは、更に映像データに対して前記ＯＦＤＭ変調が施され、
前記復調処理部は、前記放送データに対して前記ＯＦＤＭ復調を施し、前記映像データを前記出力装置に出力し、前記強階層音声データと前記弱階層音声データとを前記音声合成部に出力する
地上デジタル放送受信装置。
【請求項３】
請求項２に記載の地上デジタル放送受信装置において、
前記復調処理部は、
前記受信状況判断結果が前記受信状態の良好を表している場合、前記映像データを前記出力装置に出力し、
前記受信状況判断結果が前記受信状態の不良を表している場合、前記映像データの直前の映像データを静止画像データとして前記出力装置に出力する
地上デジタル放送受信装置。
【請求項４】
請求項１〜３のいずれかに記載の地上デジタル放送受信装置において、
前記強階層音声データと前記弱階層音声データとが同一のコンテンツであるか否かを表す比較結果を生成するコンテンツ比較部
を更に具備し、
前記音声合成部は、
前記受信状況判断結果が前記受信状態の良好を表し、且つ、前記比較結果が同一のコンテンツを表している場合、前記合成音声データを前記出力装置に出力し、
前記受信状況判断結果が前記受信状態の良好を表し、且つ、前記比較結果が同一のコンテンツを表していない場合、前記弱階層音声データを前記出力装置に出力し、
前記受信状況判断結果が前記受信状態の不良を表し、且つ、前記比較結果が同一のコンテンツを表している場合、前記強階層音声データを前記出力装置に出力する
地上デジタル放送受信装置。
【請求項５】
請求項４に記載の地上デジタル放送受信装置において、
前記強階層音声データと前記弱階層音声データは、放送されるコンテンツを表すサービスＩＤを含み、
前記コンテンツ比較部は、前記強階層音声データに含まれるサービスＩＤと、前記弱階層音声データに含まれるサービスＩＤとを比較し、前記強階層音声データと前記弱階層音声データとが同一のコンテンツであるか否かを表す前記比較結果を生成する
地上デジタル放送受信装置。
【請求項６】
請求項１〜３のいずれかに記載の地上デジタル放送受信装置において、
前記放送データは、更にＴＭＣＣ（Ｔｒａｎｓｍｉｓｓｉｏｎ  Ｍｕｌｔｉｐｌｅｘ  Ｃｏｎｆｉｇｕｒａｔｉｏｎ  ａｎｄ  Ｃｏｎｔｒｏｌ：伝送多重制御）信号に対して前記ＯＦＤＭ変調が施され、
前記ＴＭＣＣ信号は、部分受信が存在するか否かを表す部分受信フラグを含み、
前記復調処理部は、前記放送データに対して前記ＯＦＤＭ復調を施し、前記ＴＭＣＣ信号を出力し、
前記ＴＭＣＣ信号に含まれる前記部分受信フラグを参照して、前記放送データがサイマル放送であるか否かを表すサイマル放送判断結果を生成するサイマル放送判断部
を更に具備し、
前記音声合成部は、
前記受信状況判断結果が前記受信状態の良好を表し、且つ、前記サイマル放送判断結果がサイマル放送を表している場合、前記合成音声データを前記出力装置に出力し、
前記受信状況判断結果が前記受信状態の良好を表し、且つ、前記サイマル放送判断結果がサイマル放送を表していない場合、前記弱階層音声データを前記出力装置に出力し、
前記受信状況判断結果が前記受信状態の不良を表し、且つ、前記サイマル放送判断結果がサイマル放送を表している場合、前記強階層音声データを前記出力装置に出力する
地上デジタル放送受信装置。
【請求項７】
請求項１に記載の地上デジタル放送受信装置と、
スピーカと、
前記地上デジタル放送受信装置からの音声データを前記スピーカに出力する制御部と
を具備する移動体端末装置。
【請求項８】
請求項２に記載の地上デジタル放送受信装置と、
スピーカと、
表示部と、
前記地上デジタル放送受信装置からの音声データを前記スピーカに出力し、前記地上デジタル放送受信装置からの映像データを前記表示部に表示する制御部と
を具備する移動体端末装置。
【請求項９】
請求項１に記載の地上デジタル放送受信装置と、
記録部と、
前記地上デジタル放送受信装置からの音声データを前記記録部に記録する制御部と
を具備する移動体端末装置。
【請求項１０】
請求項２に記載の地上デジタル放送受信装置と、
記録部と、
前記地上デジタル放送受信装置からの音声データと映像データとを前記記録部に記録する制御部と
を具備する移動体端末装置。
【発明の詳細な説明】
【技術分野】
【０００１】
本発明は、地上デジタルテレビジョン放送（以下、地上デジタル放送と称する）に適用される受信装置に関する。
【背景技術】
【０００２】
デジタルデータの変調方式として、直行周波数分割多重方式（以下、ＯＦＤＭ方式と称する。ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）と呼ばれる変調方式が知られている。ＯＦＤＭ変調方式とは、伝送帯域内に多数の直交する副搬送波（サブキャリア）を設け、各サブキャリアの振幅及び位相にＰＳＫ（Ｐｈａｓｅ  Ｓｈｉｆｔ  Ｋｅｙｉｎｇ）やＱＡＭ（Ｑｕａｄｒａｔｕｒｅ  Ａｍｐｌｉｔｕｄｅ  Ｍｏｄｕｌａｔｉｏｎ）によりデータを割り当てて、デジタル変調する方式である。
【０００３】
ＯＦＤＭ方式は、マルチパス妨害の影響を強く受ける地上デジタル放送に適用されることが多い。ＯＦＤＭ方式を採用した地上デジタル放送としては、ＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）規格が適用される。このＩＳＤＢ−Ｔ規格については、ＡＲＩＢ  ＳＴＤ−Ｂ３０｛社団法人電波産業会著・出版「地上デジタル放送の伝送方式（ＳＴＤ−Ｂ３０）」平成１５年７月２９日（第１．１版）｝で定義されている。このＩＳＤＢ−Ｔ規格では、階層伝送と呼ばれる伝送方式を採用している。
【０００４】
階層伝送とは、１つのチャネル（伝送帯域）内を複数の領域（セグメントと呼ばれる）に分割し、セグメント毎に異なる変調方式で放送信号を伝送することを可能としたセグメント分割方式を採用した場合において、異なる複数の放送信号を同一チャンネルに同時に放送するという伝送方式である。なお、各セグメントは、互いに直交性が保たれた状態で信号が送信され、受信側では、１つのチャネル内の複数のセグメントに伝送される放送信号を一括して復調することが可能となっている。
【０００５】
そこで、ＩＳＤＢ−Ｔ規格では、１チャネル（６ＭＨｚ）内を１３個のセグメントに分割し、その中心の１個のセグメントに１つの放送信号を変調し、中心のセグメントを除いた１２個のセグメントに１つの放送信号を変調するという階層伝送方式を採用している。以下、中心の１個のセグメントの放送信号の階層を強階層（Ａ階層）と称し、強階層を除いたセグメントの放送信号の階層を弱階層（Ｂ階層）と称する。
【０００６】
ＩＳＤＢ−Ｔ規格では、強階層の放送信号を伝送容量が低く（低画質及び低音質）且つエラー耐性が高い信号とし、弱階層の放送信号を伝送容量が高く（高画質及び高音質）且つエラー耐性が低い信号とすることにより、強階層、弱階層をそれぞれ移動体端末向けの放送、固定受信向けの放送に適用している。
【０００７】
ところで、地上デジタル放送では、移動しながら受信することにより受信状況が刻々と変わる可能性が高く、最初は受信状態が良好であったにも関わらず徐々に受信状態が悪化してゆく場合がある。受信状況が悪化した（不良である）場合、映像及び音声が途中で乱れる。映像が途中で乱れた場合、視聴者にとって非常に見づらい映像となり、音声が途中で乱れた場合でも、視聴者にとって聞き苦しい音声となってしまう。
【０００８】
そのため、一般の地上デジタル放送受信機では、復号した映像信号をそのまま動画像として出力するのではなく、直前に復号した画像をホールドしたような静止画像を表示する。これにより、受信状態の悪化時における映像の見づらさの解消をすることができる。
【０００９】
一方、音声信号は、ホールドという処理を行うことができない。このため、一般の地上デジタル放送受信機では、受信状態の悪化時に映像信号と同様の処理を行おうとすると、音声信号をミュートするしかない。しかし、音声信号を途中でミュートした場合、音声が途中で途切れ途切れになり聞き苦しい音声となってしまう。
【００１０】
これを解決するために、受信状態が良好である場合に弱階層映像音声データを出力し、受信状態が不良である場合に弱階層映像音声データから強階層映像音声データへ切り換える技術が特開２００５−２２３５４８号公報に記載されている（特許文献１参照）。しかしながら、ＩＳＤＢ−Ｔ規格では、チャネルの中心の１個のセグメントに変調する放送信号と、中心以外の１２セグメントに変調する放送信号とが同一ソースであるという保障はない。このため、弱階層映像音声データから強階層映像音声データへ切り換えて出力した場合にそれまでの音声データとは全く関係のない音声データが出力されてしまう可能性がある。そこで、特許文献１では、受信状態が不良である場合、同一の番組において階層伝送されているか否かを調べる。即ち、弱階層音声データと強階層音声データが同一の音声データであるか否かを確認し、それらが同一であるときに、弱階層映像音声データから強階層映像音声データへ切り換えている。
【００１１】
また、デジタル放送に関連する技術として、特開２００６−７４４６６号公報には、受信状態が不良である場合、弱階層映像データ、弱階層音声データから強階層映像データ、強階層音声データへそれぞれ切り換える技術が記載されている（特許文献２参照）。この特許文献２では、弱階層映像データから強階層映像データへ切り換える際、弱階層映像データ中に含まれるフレーム画像と強階層映像データ中に含まれるフレーム画像との合成フレーム画像を生成し、弱階層映像データ中に含まれるフレーム画像から、強階層映像データを介して、強階層映像データ中に含まれるフレーム画像に切り換えている。
【００１２】
【特許文献１】特開２００５−２２３５４８号公報
【特許文献２】特開２００６−７４４６６号公報
【発明の開示】
【発明が解決しようとする課題】
【００１３】
しかしながら、特許文献１では、受信状態が不良と判断した後に弱階層音声データから強階層音声データへ切り換える方式である。このため、弱階層音声データから強階層音声データへ切り換えるときに、音声が途切れて出力されたり、音声が不連続の状態のまま出力されたりする問題があり、依然、音声の聞き苦しさを解消することができない。
【００１４】
また、特許文献２では、受信状態が不良と判断した後に弱階層映像データ、弱階層音声データから強階層映像データ、強階層音声データへそれぞれ切り換える方式である。このため、映像データに関しては、受信状態の悪化時における映像の見づらさが解消するが、音声データに関しては、弱階層音声データから強階層音声データへ切り換えるときに、音声が途切れて出力されたり、音声が不連続の状態のまま出力されたりする問題があり、依然、音声の聞き苦しさを解消することができない。
【課題を解決するための手段】
【００１５】
以下に、［発明を実施するための最良の形態］で使用する番号・符号を用いて、課題を解決するための手段を説明する。これらの番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００１６】
本発明の地上デジタル放送受信装置（２）は、受信部（２１；１１、１２）と、復調処理部（２２；１３〜１５、１７、１９）（２２；３３、１４、１５、１７、１９）と、受信状態判断部（１６）と、音声合成部（２０）（４０）とを具備している。
前記受信部（２１；１１、１２）は、強階層音声データと弱階層音声データとに対してＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調が施された放送データを受信する。
前記復調処理部（２２；１３〜１５、１７、１９）（２２；３３、１４、１５、１７、１９）は、前記放送データに対してＯＦＤＭ復調を施し、前記強階層音声データと前記弱階層音声データとを出力する。
前記受信状態判断部（１６）は、前記受信部（２１；１１、１２）が前記放送データを受信したときの受信状態が良好であるか否かを表す受信状況判断結果を生成する。
前記音声合成部（２０）（４０）は、
前記受信状況判断結果が前記受信状態の良好を表している場合（Ｓ１−ＹＥＳ）、前記強階層音声データと前記弱階層音声データとを合成した合成音声データを出力装置（３）に出力し（Ｓ６）、
前記受信状況判断結果が前記受信状態の不良を表している場合（Ｓ１−ＮＯ）、前記強階層音声データを前記出力装置（３）に出力する（Ｓ４）。
【発明の効果】
【００１７】
このように、本発明の地上デジタル放送受信装置（２）では、音声合成部（２０）（４０）により、受信状態が良好な場合に弱階層音声データと強階層音声データとを合成した合成音声データを出力しておき、受信状態が不良になった場合に強階層音声データを出力し続け、弱階層音声データの出力を停止する。これにより、本発明の地上デジタル放送受信装置（２）では、エラー耐性が高い強階層音声データが常に出力されるため、受信状態の悪化時において、音声が途切れて出力されたり、音声が不連続の状態のまま出力されたりする問題を解消することができる。
【発明を実施するための最良の形態】
【００１８】
以下に添付図面を参照して、本発明の地上デジタル放送受信装置について詳細に説明する。本発明は、例えば地上デジタル放送受信機能を有するカーナビゲーションシステムや携帯端末を含む様々な移動体端末装置に使用することができる。
【００１９】
（第１実施形態）
図１は、本発明の第１実施形態による地上デジタル放送受信装置２が適用される移動体端末装置１の構成を示すブロック図である。移動体端末装置１は、第１実施形態による地上デジタル放送受信装置２と、出力装置３とを具備している。
【００２０】
地上デジタル放送受信装置２は、受信部２１と、復調処理部２２と、受信状況判断部１６と、コンテンツ比較部１８と、音声合成部２０と、ビデオ出力端子Ｔ１と、オーディオ出力端子Ｔ２とを具備している。受信部２１は、アンテナ１１と、チューナ１２とを含んでいる。復調処理部２２は、ＯＦＤＭ復調部１３と、ＭＰＥＧ−２ＴＳ分離部１４と、弱階層映像復号部１５と、強階層音声復号部１７と、弱階層音声復号部１９とを含んでいる。
【００２１】
アンテナ１１は、チューナ１２に接続されている。チューナ１２は、ＯＦＤＭ復調部１３に接続されている。ＯＦＤＭ復調部１３は、ＭＰＥＧ−２ＴＳ分離部１４と受信状況判断部１６とに接続されている。ＭＰＥＧ−２ＴＳ分離部１４は、弱階層映像復号部１５と強階層音声復号部１７と弱階層音声復号部１９とに接続されている。弱階層映像復号部１５は、ビデオ出力端子Ｔ１に接続されている。強階層音声復号部１７、弱階層音声復号部１９は、コンテンツ比較部１８と音声合成部２０とに接続されている。コンテンツ比較部１８は、音声合成部２０に接続されている。受信状況判断部１６は、弱階層映像復号部１５と音声合成部２０とに接続されている。音声合成部２０は、オーディオ出力端子Ｔ２に接続されている。ビデオ出力端子Ｔ１とオーディオ出力端子Ｔ２は、出力装置３に接続されている。
【００２２】
出力装置３は、モニタや記録装置が例示され、スピーカ５と、表示部６と、記録部７と、これらを制御する制御部４とを具備している（図５参照）。
【００２３】
チューナ１２は、視聴者の入力装置（図示しない）の操作により、地上デジタル放送におけるチャンネルサーチを行う。即ち、チューナ１２は、地上デジタル放送における複数の周波数のうちの、視聴者により指定された周波数による放送データを放送局から受信するようにアンテナ１１を制御する。
【００２４】
放送局から放送された放送データは、ＩＳＤＢ−Ｔ規格に対応し、階層伝送により２つのサービスを含んでいる。即ち、１つのチャネルを１３個のセグメントに分割した場合、放送データは、その中心の１つのセグメントに伝送される強階層（Ａ階層）のコンテンツデータ（映像データ及び音声データ）と、中心の１つのセグメント以外のセグメントに伝送される弱階層（Ｂ階層）のコンテンツデータ（映像データ及び音声データ）とを含んでいる。また、強階層の放送信号は、伝送容量が低く（低画質及び低音質）且つエラー耐性が高い移動受信向けの放送に適用されている。それに対して、弱階層の放送信号は、伝送容量が高く（高画質及び高音質）且つエラー耐性が低い固定受信向けの放送に適用されている。
【００２５】
上記の放送データは、ＩＳＯ／ＩＥＣ１３８１８−１に規定されたトランスポートストリーム（以下、ＴＳと称する）に対してＯＦＤＭ変調が施されている。ＯＦＤＭ変調は、リードソロモン符号化、畳み込み符号化、時間及び周波数インタリーブ化する伝送路符号化、ＩＦＦＴ（Ｉｎｖｅｒｓｅ  Ｆａｓｔ  Ｆｏｕｒｉｅｒ  Ｔｒａｎｓｆｏｒｍ）演算及びガードインターバルの付加処理等を含んでいる。ＴＳは、１番目から最終番目までの複数のトランスポートストリームパケット（以下、ＴＳパケットと称する）を含んでいる。
【００２６】
ＴＳパケットは、４［ｂｙｔｅ］のｈｅａｄｅｒ（ヘッダ）部と、１８４［ｂｙｔｅ］の符号が設定されたｐａｙｌｏａｄ（ペイロード）部と含む１８８［ｂｙｔｅ］のパケットである。ヘッダ部は、ｔｒａｎｓｐｏｒｔ  ｅｒｒｏｒ  ｉｎｄｉｃａｔｏｒ（トランスポートエラー信号）と、ＰＩＤ（パケットＩＤ）とを含んでいる。
【００２７】
ＰＩＤは、ペイロード部に設定された符号を識別するための識別子である。そのＰＩＤは、強階層、弱階層のいずれかを表すＩＤを含んでいる。強階層を表すＩＤは、固定値である。また、強階層、弱階層を表すＰＩＤは、更に、映像を表すビデオ（Ｖｉｄｅｏ）符号、音声を表すオーディオ（Ａｕｄｉｏ）符号のいずれかを表すＩＤを含んでいる。また、強階層、弱階層を表すＰＩＤは、更に、放送される番組（コンテンツ）を表すサービスＩＤを含んでいる。サービスＩＤは、番組毎に一義的に定められたものである。
【００２８】
トランスポートエラー信号は、１ビットのフラグである。そのフラグが“１”に設定されている場合、少なくとも１ビットのエラー（訂正できないビットエラー）がＴＳパケットに存在していることを示している。一方、そのフラグが“０”に設定されている場合、訂正できないビットエラーがＴＳパケットに存在していないことを示している。
【００２９】
チューナ１２は、アンテナ１１により受信した放送データをＯＦＤＭ復調部１３に出力する。ＯＦＤＭ復調部１３は、放送データに対してＯＦＤＭ復調を施し、上記のＴＳをＭＰＥＧ−２ＴＳ分離部１４と受信状況判断部１６とに出力する。
【００３０】
ＭＰＥＧ−２ＴＳ分離部１４は、ＴＳの複数のＴＳパケットのうちの、弱階層とビデオ符号とを表すＰＩＤを含む弱階層映像ＴＳパケットを弱階層映像復号部１５に出力する。このとき、受信状況判断部１６からの受信状況判断結果が受信状態の良好を表している場合、弱階層映像復号部１５は、弱階層映像ＴＳパケットに含まれるビデオ符号を復号し、弱階層映像データとしてビデオ出力端子Ｔ１を介して出力装置３に出力する。弱階層映像データは、上記のサービスＩＤを含んでいる。受信状況判断部１６からの受信状況判断結果が受信状態の不良を表している場合、弱階層映像復号部１５は、弱階層映像データの直前の映像データを静止画像データとして、ビデオ出力端子Ｔ１を介して出力装置３に出力する。
【００３１】
また、ＭＰＥＧ−２ＴＳ分離部１４は、複数のＴＳパケットのうちの、強階層とオーディオ符号とを表すＰＩＤを含む強階層音声ＴＳパケットを強階層音声復号部１７に出力する。このとき、強階層音声復号部１７は、強階層音声ＴＳパケットに含まれるオーディオ符号を復号し、強階層音声データとしてコンテンツ比較部１８と音声合成部２０とに出力する。強階層音声データは、上記のサービスＩＤを含んでいる。
【００３２】
また、ＭＰＥＧ−２ＴＳ分離部１４は、複数のＴＳパケットのうちの、弱階層とオーディオ符号とを表すＰＩＤを含む弱階層音声ＴＳパケットを弱階層音声復号部１９に出力する。このとき、弱階層音声復号部１９は、弱階層音声ＴＳパケットに含まれるオーディオ符号を復号し、弱階層音声データとしてコンテンツ比較部１８と音声合成部２０とに出力する。弱階層音声データは、上記のサービスＩＤを含んでいる。
【００３３】
受信状況判断部１６は、ＴＳの複数のＴＳパケットの中から、ビットエラーを表すＴＳパケットが存在するか否かを調べ（監視し）、受信部（アンテナ１１、チューナ１２）が放送データ（またはＴＳ）を受信したときの受信状態が良好であるか否かを表す受信状況判断結果を生成し、弱階層映像復号部１５と音声合成部２０とに出力する。ビットエラーを表すＴＳパケットが存在しない場合、受信状況判断結果は、受信状態が良好であることを表し、ビットエラーを表すＴＳパケットが存在する場合、受信状況判断結果は、受信状態が不良であることを表している。
【００３４】
コンテンツ比較部１８は、同一の番組において階層伝送されているか否かを調べる。即ち、コンテンツ比較部１８は、強階層音声復号部１７からの強階層音声データに含まれるサービスＩＤと、弱階層音声復号部１９からの弱階層音声データに含まれるサービスＩＤとを比較し、強階層音声データと弱階層音声データとが同一のコンテンツであるか否かを表す比較結果を生成する。コンテンツ比較部１８は、その比較結果を音声合成部２０に出力する。
【００３５】
受信状況判断部１６からの受信状況判断結果が受信状態の良好を表し、コンテンツ比較部１８からの比較結果が同一のコンテンツを表している場合、音声合成部２０は、強階層音声データと弱階層音声データとを合成した合成音声データを生成し、オーディオ出力端子Ｔ２を介して出力装置３に出力する。一方、比較結果が同一のコンテンツを表していない場合、音声合成部２０は、弱階層音声データを、オーディオ出力端子Ｔ２を介して出力装置３に出力する。
【００３６】
受信状況判断部１６からの受信状況判断結果が受信状態の不良を表し、コンテンツ比較部１８からの比較結果が同一のコンテンツを表している場合、音声合成部２０は、強階層音声データを、オーディオ出力端子Ｔ２を介して出力装置３に出力する。一方、比較結果が同一のコンテンツを表していない場合、音声合成部２０は、音声データを出力しない。
【００３７】
出力装置３がモニタである場合、出力装置３の制御部４は、地上デジタル放送受信装置２からの音声データをスピーカ５に出力し、地上デジタル放送受信装置２からの映像データを表示部６に表示する。出力装置３が記録装置である場合、地上デジタル放送受信装置２からの音声データと映像データとを記録部７に記録する。
【００３８】
このように、本発明の第１実施形態による地上デジタル放送受信装置２では、音声合成部２０により、受信状態が良好な場合に弱階層音声データと強階層音声データとを合成した合成音声データを出力しておき、受信状態が不良になった場合に強階層音声データを出力し続け、弱階層音声データの出力を停止する。これにより、本発明の第１実施形態による地上デジタル放送受信装置２では、エラー耐性が高い強階層音声データが常に出力されるため、受信状態の悪化時において、音声が途切れて出力されたり、音声が不連続の状態のまま出力されたりする問題を解消することができる。
【００３９】
また、音声合成部２０がコンテンツ比較部１８の比較結果を利用することにより、弱階層音声データから強階層音声データへ切り換えて出力した場合や、強階層音声データから弱階層音声データへ切り換えて出力した場合に、それまでの音声データとは全く関係のない音声データが出力されることを禁止することができる。
【００４０】
図２は、本発明の第１実施形態による地上デジタル放送受信装置２の動作を示すフローチャートである。
【００４１】
チューナ１２は、アンテナ１１により受信した放送データをＯＦＤＭ復調部１３に出力する。ＯＦＤＭ復調部１３は、放送データに対してＯＦＤＭ復調を施し、上記のＴＳをＭＰＥＧ−２ＴＳ分離部１４と受信状況判断部１６とに出力する。ＭＰＥＧ−２ＴＳ分離部１４は、ＴＳの複数のＴＳパケットの中から、上記の弱階層映像ＴＳパケットを弱階層映像復号部１５に出力し、上記の強階層音声ＴＳパケットを強階層音声復号部１７に出力し、上記の弱階層音声ＴＳパケットを弱階層音声復号部１９に出力する。このとき、弱階層映像復号部１５は、弱階層映像ＴＳパケットに含まれるビデオ符号を復号して上記の弱階層映像データを生成する。強階層音声復号部１７は、上記の強階層音声ＴＳパケットに含まれるオーディオ符号を復号して上記の強階層音声データを生成し、コンテンツ比較部１８と音声合成部２０とに出力する。弱階層音声復号部１９は、上記の弱階層音声ＴＳパケットに含まれるオーディオ符号を復号して上記の弱階層音声データを生成し、コンテンツ比較部１８と音声合成部２０とに出力する。受信状況判断部１６は、ＴＳの複数のＴＳパケットの中から、ビットエラーを表すＴＳパケットが存在するか否かを監視し、受信状況判断結果を生成して弱階層映像復号部１５と音声合成部２０とに出力する（ステップＳ１）。
【００４２】
受信状況判断部１６からの受信状況判断結果が“良好”を表しているものとする（受信状態の良好を表しているものとする）（ステップＳ１−ＹＥＳ）。コンテンツ比較部１８は、強階層音声復号部１７からの強階層音声データに含まれるサービスＩＤと、弱階層音声復号部１９からの弱階層音声データに含まれるサービスＩＤとを比較し、比較結果を生成して音声合成部２０に出力する（ステップＳ３）。
【００４３】
ここで、コンテンツ比較部１８からの比較結果が“一致”を表しているものとする（同一のコンテンツを表しているものとする）（ステップＳ３−ＹＥＳ）。この場合、弱階層映像復号部１５は、受信状況判断結果“良好”に基づいて、弱階層映像データを、ビデオ出力端子Ｔ１を介して出力装置３に出力する。同時に、音声合成部２０は、受信状況判断結果“良好”と比較結果“一致”とに基づいて、強階層音声データと弱階層音声データとを合成した合成音声データを生成し、オーディオ出力端子Ｔ２を介して出力装置３に出力する（ステップＳ６）。ここで、出力装置３がモニタである場合、出力装置３の制御部４は、合成音声データをスピーカ５に出力し、弱階層映像データを表示部６に表示する。出力装置３が記録装置である場合、合成音声データと弱階層映像データとを記録部７に記録する。
【００４４】
一方、比較結果が“不一致”を表しているものとする（同一のコンテンツを表していないものとする）（ステップＳ３−ＮＯ）。この場合、弱階層映像復号部１５は、受信状況判断結果“良好”に基づいて、弱階層映像データを、ビデオ出力端子Ｔ１を介して出力装置３に出力する。同時に、音声合成部２０は、受信状況判断結果“良好”と比較結果“不一致”とに基づいて、弱階層音声データを、オーディオ出力端子Ｔ２を介して出力装置３に出力する（ステップＳ７）。ここで、出力装置３がモニタである場合、出力装置３の制御部４は、弱階層音声データをスピーカ５に出力し、弱階層映像データを表示部６に表示する。出力装置３が記録装置である場合、弱階層音声データと弱階層映像データとを記録部７に記録する。
【００４５】
受信状況判断部１６からの受信状況判断結果が“不良”を表しているものとする（受信状態の不良を表しているものとする）（ステップＳ１−ＮＯ）。コンテンツ比較部１８は、強階層音声復号部１７からの強階層音声データに含まれるサービスＩＤと、弱階層音声復号部１９からの弱階層音声データに含まれるサービスＩＤとを比較し、比較結果を生成して音声合成部２０に出力する（ステップＳ２）。
【００４６】
ここで、コンテンツ比較部１８からの比較結果が“一致”を表しているものとする（ステップＳ２−ＹＥＳ）。この場合、弱階層映像復号部１５は、受信状況判断結果“不良”に基づいて、弱階層映像データの直前の映像データを静止画像データとして、ビデオ出力端子Ｔ１を介して出力装置３に出力する。同時に、音声合成部２０は、受信状況判断結果“不良”と比較結果“一致”とに基づいて、強階層音声データを、オーディオ出力端子Ｔ２を介して出力装置３に出力する（ステップＳ４）。ここで、出力装置３がモニタである場合、出力装置３の制御部４は、強階層音声データをスピーカ５に出力し、静止画像データを表示部６に表示する。出力装置３が記録装置である場合、強階層音声データと静止画像データとを記録部７に記録する。
【００４７】
一方、比較結果が“不一致”を表しているものとする（ステップＳ２−ＮＯ）。この場合、弱階層映像復号部１５は、受信状況判断結果“不良”に基づいて、弱階層映像データの直前の映像データを静止画像データとして、ビデオ出力端子Ｔ１を介して出力装置３に出力する。同時に、音声合成部２０は、受信状況判断結果“不良”と比較結果“不一致”とに基づいて、音声データを出力しない（ステップＳ５）。ここで、出力装置３がモニタである場合、出力装置３の制御部４は、静止画像データを表示部６に表示する。出力装置３が記録装置である場合、静止画像データを記録部７に記録する。
【００４８】
なお、本発明の地上デジタル放送受信装置２では、ＭＰＥＧ−２ＴＳ分離部１４は、ＭＰＥＧ−２システムの多重化方式に対応しているが、本発明は、ＭＰＥＧ−２システムに限定されるものではない。
【００４９】
また、本発明の地上デジタル放送受信装置２では、弱階層映像復号部１５は、上述のような弱階層映像データを生成する機能に加え、強階層映像データを生成する機能を備えていてもよい。即ち、ＭＰＥＧ−２ＴＳ分離部１４は、複数のＴＳパケットのうちの、強階層とビデオ符号とを表すＰＩＤを含む強階層映像ＴＳパケットを弱階層映像復号部１５に出力する。弱階層映像復号部１５は、強階層映像ＴＳパケットに含まれるビデオ符号を復号し、上記のサービスＩＤを含む強階層映像データを生成し、受信状況判断部１６からの受信状況判断結果が受信状態の不良を表す場合、弱階層映像データから強階層映像データに切り換える。これにより、受信状態の悪化時における映像の見づらさが解消される。
【００５０】
ここで、本発明の地上デジタル放送受信装置２では、弱階層映像復号部１５に対して、特開２００６−７４４６６号公報（特許文献２）に記載された技術を適用してもよい。即ち、弱階層映像データから強階層映像データへ切り換える際、弱階層映像データ中に含まれるフレーム画像と強階層映像データ中に含まれるフレーム画像との合成フレーム画像を生成し、弱階層映像データ中に含まれるフレーム画像から、強階層映像データを介して、強階層映像データ中に含まれるフレーム画像に切り換える。これにより、受信状態の悪化時における映像の見づらさが更に解消される。
【００５１】
また、本発明の地上デジタル放送受信装置２では、弱階層映像復号部１５に対して、コンテンツ比較部１８と同じ技術を適用してもよい。即ち、受信状況判断部１６からの受信状況判断結果が受信状態の良好を表している場合、弱階層映像復号部１５（映像復号部１５）は、弱階層映像データを、ビデオ出力端子Ｔ１を介して出力装置３に出力する。また、受信状況判断部１６からの受信状況判断結果が受信状態の不良を表し、弱階層映像データに含まれるサービスＩＤと強階層映像データに含まれるサービスＩＤとが一致する（同一のコンテンツを表している）場合、映像復号部１５は、弱階層映像データから強階層映像データへ切り換えて、オーディオ出力端子Ｔ２を介して出力装置３に出力する。一方、同一のコンテンツを表していない場合、映像復号部１５は、弱階層映像データの直前の映像データを静止画像データとして、ビデオ出力端子Ｔ１を介して出力装置３に出力する。これにより、弱階層映像データから強階層映像データへ切り換えて出力した場合や、強階層映像データから弱階層映像データへ切り換えて出力した場合に、それまでの映像データとは全く関係のない映像データが出力されることを禁止することができる。
【００５２】
以上により、本発明の第１実施形態による地上デジタル放送受信装置２では、音声合成部２０により、受信状態が良好な場合に弱階層音声データと強階層音声データとを合成した合成音声データを出力しておき、受信状態が不良になった場合に強階層音声データを出力し続け、弱階層音声データの出力を停止する。これにより、本発明の第１実施形態による地上デジタル放送受信装置２では、エラー耐性が高い強階層音声データが常に出力されるため、受信状態の悪化時において、音声が途切れて出力されたり、音声が不連続の状態のまま出力されたりする問題を解消することができる。
【００５３】
また、音声合成部２０がコンテンツ比較部１８の比較結果を利用することにより、弱階層音声データから強階層音声データへ切り換えて出力した場合や、強階層音声データから弱階層音声データへ切り換えて出力した場合に、それまでの音声データとは全く関係のない音声データが出力されることを禁止することができる。
【００５４】
（第２実施形態）
本発明の第２実施形態による地上デジタル放送受信装置２では、第１実施形態と重複する説明を省略する。
【００５５】
図３は、本発明の第２実施形態による地上デジタル放送受信装置２が適用される移動体端末装置１の構成を示すブロック図である。第２実施形態による地上デジタル放送受信装置２は、第１実施形態におけるＯＦＤＭ復調部１３、コンテンツ比較部１８、音声合成部２０に代えて、ＯＦＤＭ復調部３３、サイマル放送判断部３８、音声合成部４０を具備している。
【００５６】
ＯＦＤＭ復調部３３は、ＭＰＥＧ−２ＴＳ分離部１４と受信状況判断部１６とサイマル放送判断部３８とに接続されている。強階層音声復号部１７、弱階層音声復号部１９は、音声合成部４０に接続されている。受信状況判断部１６は、弱階層映像復号部１５と音声合成部４０とに接続されている。サイマル放送判断部３８は、音声合成部４０に接続されている。音声合成部４０は、オーディオ出力端子Ｔ２に接続されている。
【００５７】
放送データは、ＩＳＯ／ＩＥＣ１３８１８−１に規定されたトランスポートストリーム（以下、ＴＳと称する）と、ＴＭＣＣ（Ｔｒａｎｓｍｉｓｓｉｏｎ  Ｍｕｌｔｉｐｌｅｘ  Ｃｏｎｆｉｇｕｒａｔｉｏｎ  ａｎｄ  Ｃｏｎｔｒｏｌ：伝送多重制御）信号とに対してＯＦＤＭ変調が施されている。ＴＭＣＣ信号は、部分受信、いわゆるワンセグ放送（強階層で伝送される映像、音声、データ放送等）が存在するか否かを表す部分受信フラグを含んでいる。
【００５８】
チューナ１２は、アンテナ１１により受信した放送データをＯＦＤＭ復調部３３に出力する。ＯＦＤＭ復調部３３は、放送データに対してＯＦＤＭ復調を施し、上記のＴＳをＭＰＥＧ−２ＴＳ分離部１４と受信状況判断部１６とに出力し、ＴＭＣＣ信号をサイマル放送判断部３８に出力する。
【００５９】
サイマル放送判断部３８は、同一の番組において階層伝送されているか否かを調べる。即ち、サイマル放送判断部３８は、ＯＦＤＭ復調部３３からのＴＭＣＣ信号に含まれる部分受信フラグを参照して、上記の放送データがサイマル放送であるか否かを表すサイマル放送判断結果を生成する。サイマル放送判断部３８は、そのサイマル放送判断結果を音声合成部４０に出力する。
【００６０】
受信状況判断部１６からの受信状況判断結果が受信状態の良好を表し、サイマル放送判断部３８からのサイマル放送判断結果がサイマル放送を表している場合、音声合成部４０は、強階層音声データと弱階層音声データとを合成した合成音声データを生成し、オーディオ出力端子Ｔ２を介して出力装置３に出力する。一方、サイマル放送判断結果がサイマル放送を表していない場合、音声合成部４０は、弱階層音声データを、オーディオ出力端子Ｔ２を介して出力装置３に出力する。
【００６１】
受信状況判断部１６からの受信状況判断結果が受信状態の不良を表し、サイマル放送判断部３８からのサイマル放送判断結果がサイマル放送を表している場合、音声合成部４０は、強階層音声データを、オーディオ出力端子Ｔ２を介して出力装置３に出力する。一方、サイマル放送判断結果がサイマル放送を表していない場合、音声合成部４０は、音声データを出力しない。
【００６２】
図４は、本発明の第２実施形態による地上デジタル放送受信装置２の動作を示すフローチャートである。
【００６３】
チューナ１２は、アンテナ１１により受信した放送データをＯＦＤＭ復調部３３に出力する。ＯＦＤＭ復調部３３は、放送データに対してＯＦＤＭ復調を施し、上記のＴＳをＭＰＥＧ−２ＴＳ分離部１４と受信状況判断部１６とに出力し、ＴＭＣＣ信号をサイマル放送判断部３８に出力する。ＭＰＥＧ−２ＴＳ分離部１４は、ＴＳの複数のＴＳパケットの中から、上記の弱階層映像ＴＳパケットを弱階層映像復号部１５に出力し、上記の強階層音声ＴＳパケットを強階層音声復号部１７に出力し、上記の弱階層音声ＴＳパケットを弱階層音声復号部１９に出力する。このとき、弱階層映像復号部１５は、弱階層映像ＴＳパケットに含まれるビデオ符号を復号して上記の弱階層映像データを生成する。強階層音声復号部１７は、上記の強階層音声ＴＳパケットに含まれるオーディオ符号を復号して上記の強階層音声データを生成し、音声合成部４０に出力する。弱階層音声復号部１９は、上記の弱階層音声ＴＳパケットに含まれるオーディオ符号を復号して上記の弱階層音声データを生成し、音声合成部４０に出力する。受信状況判断部１６は、ＴＳの複数のＴＳパケットの中から、ビットエラーを表すＴＳパケットが存在するか否かを監視し、受信状況判断結果を生成して弱階層映像復号部１５と音声合成部４０とに出力する（ステップＳ１）。
【００６４】
受信状況判断部１６からの受信状況判断結果が“良好”を表しているものとする（受信状態の良好を表しているものとする）（ステップＳ１−ＹＥＳ）。サイマル放送判断部３８は、ＯＦＤＭ復調部３３からのＴＭＣＣ信号に含まれる部分受信フラグを参照して、サイマル放送判断結果を生成して音声合成部４０に出力する（ステップＳ１２）。
【００６５】
ここで、サイマル放送判断部３８からのサイマル放送判断結果が“サイマル放送あり”を表しているものとする（サイマル放送を表しているものとする）（ステップＳ１２−ＹＥＳ）。この場合、弱階層映像復号部１５は、受信状況判断結果“良好”に基づいて、弱階層映像データを、ビデオ出力端子Ｔ１を介して出力装置３に出力する。同時に、音声合成部４０は、受信状況判断結果“良好”とサイマル放送判断結果“サイマル放送あり”とに基づいて、強階層音声データと弱階層音声データとを合成した合成音声データを生成し、オーディオ出力端子Ｔ２を介して出力装置３に出力する（ステップＳ６）。
【００６６】
一方、サイマル放送判断結果が“サイマル放送なし”を表しているものとする（サイマル放送を表していないものとする）（ステップＳ１２−ＮＯ）。この場合、弱階層映像復号部１５は、受信状況判断結果“良好”に基づいて、弱階層映像データを、ビデオ出力端子Ｔ１を介して出力装置３に出力する。同時に、音声合成部４０は、受信状況判断結果“良好”とサイマル放送判断結果“サイマル放送なし”とに基づいて、弱階層音声データを、オーディオ出力端子Ｔ２を介して出力装置３に出力する（ステップＳ７）。
【００６７】
また、受信状況判断部１６からの受信状況判断結果が“不良”を表しているものとする（受信状態の不良を表しているものとする）（ステップＳ１−ＮＯ）。サイマル放送判断部３８は、ＯＦＤＭ復調部３３からのＴＭＣＣ信号に含まれる部分受信フラグを参照して、サイマル放送判断結果を生成して音声合成部４０に出力する（ステップＳ１１）。
【００６８】
ここで、サイマル放送判断部３８からのサイマル放送判断結果が“サイマル放送あり”を表しているものとする（サイマル放送を表しているものとする）（ステップＳ１１−ＹＥＳ）。この場合、弱階層映像復号部１５は、受信状況判断結果“不良”に基づいて、弱階層映像データの直前の映像データを静止画像データとして、ビデオ出力端子Ｔ１を介して出力装置３に出力する。同時に、音声合成部４０は、受信状況判断結果“不良”とサイマル放送判断結果“サイマル放送あり”とに基づいて、強階層音声データを、オーディオ出力端子Ｔ２を介して出力装置３に出力する（ステップＳ４）。
【００６９】
一方、サイマル放送判断結果が“サイマル放送なし”を表しているものとする（サイマル放送を表していないものとする）（ステップＳ２−ＮＯ）。この場合、弱階層映像復号部１５は、受信状況判断結果“不良”に基づいて、弱階層映像データの直前の映像データを静止画像データとして、ビデオ出力端子Ｔ１を介して出力装置３に出力する。同時に、音声合成部４０は、受信状況判断結果“不良”とサイマル放送判断結果“サイマル放送なし”とに基づいて、音声データを出力しない（ステップＳ５）。
【００７０】
以上により、本発明の第２実施形態による地上デジタル放送受信装置２では、第１実施形態におけるコンテンツ比較部１８、音声合成部２０に代えて、サイマル放送判断部３８、音声合成部４０を具備した場合でも、第１実施形態と同じ効果を実現することができる。
【図面の簡単な説明】
【００７１】
【図１】図１は、本発明の第１実施形態による地上デジタル放送受信装置２が適用される移動体端末装置１の構成を示すブロック図である。
【図２】図２は、本発明の第１実施形態による地上デジタル放送受信装置２の動作を示すフローチャートである。
【図３】図３は、本発明の第２実施形態による地上デジタル放送受信装置２が適用される移動体端末装置１の構成を示すブロック図である。
【図４】図４は、本発明の第２実施形態による地上デジタル放送受信装置２の動作を示すフローチャートである。
【図５】図５は、移動体端末装置１に適用される出力装置３の構成を示すブロック図である。
【符号の説明】
【００７２】
１    移動体端末装置
２    地上デジタル放送受信装置、
３    出力装置、
４    制御部、
５    スピーカ、
６    表示部、
７    記録部、
１１    アンテナ、
１２    チューナ、
１３    ＯＦＤＭ復調部、
１４    ＭＰＥＧ−２ＴＳ分離部、
１５    弱階層映像復号部、
１６    受信状況判断部、
１７    強階層音声復号部、
１８    コンテンツ比較部、
１９    弱階層音声復号部、
２０    音声合成部、
２１    受信部、
２２    復調処理部、
３３    ＯＦＤＭ復調部、
３８    サイマル放送判断部、
４０    音声合成部、
Ｔ１    ビデオ出力端子、
Ｔ２    オーディオ出力端子、
【図１】
2008160248.tif 000003
【図２】
2008160248.tif 000004
【図３】
2008160248.tif 000005
【図４】
2008160248.tif 000006
【図５】
2008160248.tif 000007